【手続補正書】
【提出日】平成15年6月20日(2003.6.20)
【手続補正１】
【補正対象書類名】明細書
【補正対象項目名】特許請求の範囲
【補正方法】変更
【補正の内容】
【特許請求の範囲】
【請求項１】
セルロース繊維、または合成繊維と混合されたセルロース繊維のエアレイド不織ウエブを製作する方法であって、
１４〜３０メッシュのメッシュ数を有する形成ワイヤ（３）上で繊維フラッフをエアレイして層にする工程と、
形成ヘッド（２）と吸引ボックス（４）との間の圧力の差を８０〜１５０ｍｍの水頭に調整する工程と、
好適には、上に位置する第２のワイヤ（１２）によって、第３のワイヤ（１６；３０）に該フラッフの層を搬送する工程と、
少なくとも１つの水ジェットを第３のワイヤ上の該フラッフに向かって噴出し、これによって、該フラッフを水流絡合して凝集ウエブにする工程と
を包含する、方法。
【請求項２】
前記フラッフを、水流絡合される前に圧縮する工程を包含する、請求項１に記載の方法。
【請求項３】
前記フラッフが水流絡合される、前記第３のワイヤ（１６；３０）の前記メッシュ数は、該ワイヤの少なくとも上部にて３８〜５８メッシュであることを特徴とする、請求項１または２に記載の方法。
【請求項４】
少なくとも１つの第１の水ジェットを、前記第３のワイヤ（１６）上の前記フラッフの上方を向く第１の面に向かって噴出する工程を含む、請求項１、２または３に記載の方法。
【請求項５】
少なくとも１つの第１の水ジェットを、前記第３のワイヤ（１６）上の前記フラッフの上方を向く第１の面に向かって噴出する工程と、
少なくとも１つの第２の水ジェットを、該フラッフの下方を向く第２の面に向かって該第３のワイヤを介して噴出する工程と
を包含する、請求項１、２または３に記載の方法。
【請求項６】
少なくとも１つの第１の水ジェットを、前記第３のワイヤ（１６）上の前記フラッフの上方を向く第１の面に向かって噴出する工程と、
少なくとも１つの第２の水ジェットを、上に位置する第４のワイヤ（２０）の下面で吸引される該フラッフの下方を向く第２の面に向かって噴出する工程と
を包含する、請求項１、２または３に記載の方法。
【請求項７】
少なくとも１つの第１の水ジェットを、前記第３のワイヤ（１６）上の前記フラッフの上方を向く第１の面に向かって噴出する工程と、
前記ウエブの前記第２の面を、第４のワイヤ（３０）によって上方に向ける工程と、
少なくとも１つの第２の水ジェットを、該第４のワイヤ上の該フラッフの上方を向く第２の面に向かって噴出する工程と
を包含する、請求項１、２または３に記載の方法。
【請求項８】
前記ウエブを第５のワイヤ（２６）上で、乾燥させる工程を包含する、請求項１〜７のいずれか１つに記載の方法。
【請求項９】
第６のワイヤ（３９）上で、前記ウエブ上の塵を結合するために、該ウエブの少なくとも１つの面に向かって蒸気を噴出する工程を包含する、請求項１〜８のいずれか１つに記載の方法。
【請求項１０】
第６のワイヤ（４５）上で、前記ウエブの少なくとも１つの面にプラスチックの層をホットメルトすることによって積層物を形成する工程と、
不織ウエブを該第６のワイヤ上の該ウエブに付与する工程と
を包含する、請求項１〜９のいずれか１つに記載の方法。
【請求項１１】
第６のワイヤ（５２）上で、メルトブロー繊維（ＳＭＭＳ）、または複合繊維および／または該メルトブロー繊維と複合繊維との組み合わせの少なくとも１つの層を、前記ウエブの少なくとも１つの面に付与することによって、積層物を形成する工程を包含する、請求項１〜９のいずれか１つに記載の方法。
【請求項１２】
第６のワイヤ（５７）上で、少なくとも１つのカードウエブ（６２）を前記ウエブの少なくとも１つの面に付与することによって、積層物を形成する工程を包含する、請求項１〜９のいずれか１つに記載の方法。
【請求項１３】
第６のワイヤ（５７）上で、少なくとも１つのカードウエブ（６２）を、前記ウエブの少なくとも１つの面に付与することによって積層物を形成する工程と、
例えば、プラスチックおよび／または不織ウエブのフィルムの形態で、層（６４）を該第６のワイヤ上の該ウエブの少なくとも１つの面に付与する工程と
を包含する、請求項１〜９のいずれか１つに記載の方法。
【請求項１４】
第５のワイヤ（６５）上の前記繊維ウエブの１つの面にバインダの層を付与する工程と、
第６のワイヤ（６８）上で、該ウエブを乾燥させる工程と
を包含する、請求項１〜９のいずれか１つに記載の方法。
【請求項１５】
第５のワイヤ（６５）上の前記繊維ウエブの上面にバインダの第１の層を付与する工程と、
第６のワイヤ（６８）上で、該ウエブを乾燥させる工程と、
該ウエブの下面を、第７のワイヤ（７１）によって上方に向けて、バインダの第２の層を該ウエブの第２の面に付与する工程と
第８のワイヤ（７４）上で、該ウエブを乾燥させる工程と、
第９のワイヤ（７７）上で、該バインダを硬化させる工程と
を包含する、請求項１〜９のいずれか１つに記載の方法。
【請求項１６】
前記不織ウエブは、合成繊維と混合されたセルロース繊維を含む方法であって、該合成繊維が該セルロース繊維に、および互いに接着されるように、前記繊維フラッフを熱処理して凝集繊維ウエブにする工程を包含する、請求項１〜１５のいずれか１つに記載の方法。
【請求項１７】
前記ワイヤ（１６；２０；３０）から該ウエブを浮かせる工程であって、該ワイヤ上の前記ウエブを水流絡合するために、前記フラッフに向かって水ジェットを噴出するノズル（２４；２５）によって該ウエブが水流絡合される、工程を包含する、請求項１〜１６のいずれか１つに記載の方法。
【請求項１８】
前記ワイヤ（１６；２０；３０）から前記ウエブを浮かせる工程であって、前記フラッフに向かって空気流を噴出することによって前記ウエブが水流絡合される、工程を包含する、請求項１〜１７のいずれか１つに記載の方法。
【請求項１９】
前記ウエブをカレンダ仕上げする工程を包含する、請求項１〜１８のいずれか１つに記載の方法。
【請求項２０】
前記ウエブをリール（２９）に巻き付ける工程を包含する、請求項１〜１９のいずれか１つに記載の方法。
【請求項２１】
前記形成ワイヤ（３）から、前記繊維フラッフに含まれる微粉の少なくとも大部分を除去する工程を包含する、請求項１〜２０のいずれか１つに記載の方法。
【請求項２２】
セルロース繊維、または合成繊維と混合されたセルロース繊維のエアレイド不織ウエブを製作するプラントは、
１４〜３０メッシュのメッシュ数を有する形成ワイヤ（３）上の層に繊維フラッフを配置するための少なくとも１つのエアレイセクション（１）と、
形成ヘッド（２）と吸引ボックス（４）との間の圧力の差を８０〜１５０ｍｍの水頭に調整する手段と、
第３のワイヤ（１６；３０）に該フラッフの層を搬送するための、上に位置する第２のワイヤ（１２）と、
水ジェットを該第３のワイヤ（１６）上の該フラッフに向かって噴出し、これによって、該フラッフを水流絡合して凝集ウエブにするための、少なくとも１つのノズル（２４；２５）と
を備える、プラント。
【請求項２３】
前記フラッフが水流絡合される前に該フラッフを圧縮する手段を備える、請求項２２に記載のプラント。
【請求項２４】
前記フラッフが絡合される前記第３のワイヤ（１６）のメッシュ数は、３８〜５８メッシュであることを特徴とする、請求項２２または２３に記載のプラント。
【請求項２５】
前記第３のワイヤ（１６）上の前記フラッフの上方を向く第１の面に向かって水ジェットを噴出するための少なくとも１つのノズル（２４）を備える、請求項２２、２３または２４に記載のプラント。
【請求項２６】
前記第３のワイヤ（１６）上の前記フラッフの上方を向く第１の面に向かって水ジェットを噴出するための少なくとも１つのノズル（２４）と、
該第３のワイヤ（１６）を通って、該フラッフの下方を向く第２の面に向かって水ジェットを噴出するための少なくとも１つの他のノズル（２５）と
を備える、請求項２２、２３または２４に記載のプラント。
【請求項２７】
前記第３のワイヤ（１６）上の前記フラッフの上方を向く第１の面に向かって水ジェットを噴出するための少なくとも１つのノズル（２４）と、
前記ウエブを該第３のワイヤ（１６）から吸引して、第４のワイヤ（２０）の下面に付与するための吸引ボックス（２１）を有する、上に位置する第４のワイヤ（２０）と、
該第４のワイヤ（２０）の該下面にぶら下がる該フラッフの下方を向く第２の面に向かって水ジェットを噴出するための少なくとも１つの他のノズル（２５）と
を備える、請求項２２、２３または２４に記載のプラント。
【請求項２８】
前記第３のワイヤ（１６）上の前記フラッフの上方を向く第１の面に向かって水ジェットを噴出するための少なくとも１つのノズル（２４）と、
前記ウエブの前記第２の面を上方に向けるための第４のワイヤ（３０）と、
該第４のワイヤ（３０）上の該フラッフの上方を向く第２の面に向かって水ジェットを噴出するための少なくとも１つの他のノズル（２５）と
を備える、請求項２２、２４または２５に記載のプラント。
【請求項２９】
前記ウエブが前記第４のワイヤ（３０）を去る間、該ウエブを支持するために、該第４のワイヤ（３０）の下流に配置される第５のワイヤ（３４）と、
該ウエブを該第５のワイヤ（３４）上で乾燥させるための乾燥手段（３６）とを備える、請求項２２〜２８のいずれか１つに記載のプラント。
【請求項３０】
前記ウエブが前記第５のワイヤ（３９）を去る間、該ウエブを支持するために、該第５のワイヤの下流に配置される第６のワイヤ（３９）と、
該ウエブ上の塵を結合させるために、該第５のワイヤ上の該ウエブの少なくとも１つの面に向かって蒸気を噴出するための手段（４１）と
を備える、請求項２２〜２９のいずれか１つに記載のプラント。
【請求項３１】
前記ウエブが前記第５のワイヤ（２６）を去る間、該ウエブを支持するために、該第５のワイヤ（２６）の下流に配置される第６のワイヤ（４５）と、
該第６のワイヤ上の該ウエブの少なくとも１つの面にプラスチック層をホットメルトするための手段（４７）と、
該第６のワイヤ（４５）上の該ウエブ上の溶融されたプラスチックに、不織ウエブ（５０）を付与するための手段（５１）と
を備える、請求項２２〜２９のいずれか１つに記載のプラント。
【請求項３２】
前記ウエブが前記第５のワイヤ（２６）を去る間、該ウエブを支持するために、該第５のワイヤ（２６）の下流に配置される第６のワイヤ（５２）と、
スパンボンド／メルトブロー繊維（ＳＭＭＳ）、複合繊維および／またはこれらの繊維の組み合わせの少なくとも１つの層を、該第６のワイヤ（５２）上の該ウエブの少なくとも１つの面に付与するための手段（５６）と
を備える、請求項２２〜２９のいずれか１つに記載のプラント。
【請求項３３】
前記ウエブが前記第５のワイヤ（２６）を去る間、該ウエブを支持するために、該第５のワイヤ（２６）の下流に配置される第６のワイヤ（５７）と、
少なくとも１つのカードウエブ（６２）を、該第６のワイヤ（５７）上の該ウエブの少なくとも１つの面に付与するための手段（６１）と
を備える、請求項２２〜２９のいずれか１つに記載のプラント。
【請求項３４】
前記第５のワイヤを去る前記ウエブを支持するために、該第５のワイヤ（２６）の下流に配置される第６のワイヤ（５７）と、
少なくとも１つのカードウエブ（６２）を該第６のワイヤ（５７）上の該ウエブの少なくとも１つの面に付与するための手段（６１）と、
層（６４）を、例えば、プラスチックおよび／または不織ウエブのフィルムの形態で、該第６のワイヤ（５７）上の該ウエブの少なくとも１つの面に付与するための手段（６３）と
を備える、請求項２２〜２９のいずれか１つに記載のプラント。
【請求項３５】
第５のワイヤ（６５）上の前記繊維ウエブの面に向かって、バインダの層を上方に向けて付与するための手段（６７）と、
第６のワイヤ（６８）上の該ウエブを乾燥させるための手段（７０）と
を備える、請求項２２〜２９のいずれか１つに記載のプラント。
【請求項３６】
前記ウエブが前記第４のワイヤ（２０）を去る間、該ウエブを支持するために、該第４のワイヤ（２０）の下流に配置される第５のワイヤ（６５）と、
バインダの第１の層を該第５のワイヤ（６５）上の前記繊維ウエブの上面に付与するための手段（６７）と
該ウエブが該第５のワイヤ（６５）を去る間、該ウエブを支持するために、該第５のワイヤ（６５）の下流に配置される第６のワイヤ（７４）と、
該第６のワイヤ（６８）上の該ウエブを乾燥させるための手段（７０）と、
該第６のワイヤ（６８）を去る該ウエブの該下の第２の面を上方に向けるために、該第６のワイヤ（６８）の下流に配置される第７のワイヤ（７１）と、
バインダの第２の層を該第７のワイヤ（７１）上の該ウエブの第２の面に付与するための手段（７３）と、
該ウエブが該第７のワイヤ（７１）を去る間、該ウエブを支持するために、該第７のワイヤ（７１）の下流に配置される第８のワイヤ（７４）と、
該第８のワイヤ（７４）上の該ウエブを乾燥させるための手段（７６）と、
該ウエブが該第８のワイヤ（７４）を去る間、該ウエブを支持するために、該第８のワイヤ（７４）の下流に配置された第９のワイヤ（７７）と、
該第９のワイヤ（７７）上の該バインダを硬化させるための手段（７９）と
を備える、請求項２４〜３９のいずれか１つに記載のプラント。
【請求項３７】
前記不織ウエブは、合成繊維と混合されたセルロース繊維を含むプラントであって、該合成繊維が該セルロース繊維と、および互いに接着されるように、前記絡合された繊維フラッフを熱処理して凝集ウエブにするための手段を備える、請求項２２〜３６のいずれか１つに記載のプラント。
【請求項３８】
少なくとも１つの第２の水ジェットを該第３のワイヤ上の該フラッフの下面に向かって噴出することによって、前記第３のワイヤから前記ウエブを浮かせるための少なくとも１つの第２の水用ノズルを備える、請求項２２〜３７のいずれか１つに記載のプラント。
【請求項３９】
前記ワイヤ（１６；２０；３０）から前記ウエブを浮かせるためのノズル（２４；２５）であって、該ワイヤ上で、水流絡合プロセス中に、前記フラッフに向かって水ジェットを噴出することによって、該ウエブが水流絡合される、ノズルを備える、請求項２２〜３８のいずれか１つに記載のプラント。
【請求項４０】
前記形成ワイヤ（３）上の前記繊維フラッフに含まれる微粉の少なくともほとんどの部分を除去するための手段を備える、請求項２２〜３９のいずれか１つに記載のプラント。
【請求項４１】
前記形成ワイヤ（３）上に配置され、かつ該形成ワイヤ（３）上の層の中に繊維フラッフをエアレイするために設けられる形成ヘッド（２）と、
空気流中で、繊維を繊維源から該形成ヘッド（２）に搬送するための少なくとも１つのチャネル（８）と、
該形成ワイヤ（３）の下面に配置された吸引ボックス（４）と、
該形成ヘッド（１）から、該フラッフ、該形成ワイヤ（３）および該吸引ボックス（４）を通る該吸引ファン（６；７）への空気流を生成するために、該吸引ボックス（４）と接続された少なくとも１つの吸引ファン（６；７）とを備えるプラントであって、
該形成ワイヤ（３）の該メッシュ数は、該フラッフに含まれる微粉のみが該形成ワイヤ（４）を通過することを可能にすることを特徴とする、請求項２２〜４０に記載のプラント。
【請求項４２】
前記形成ヘッド（２）から、前記フラッフ、前記形成ワイヤ（３）、および前記吸引ボックス（４）を通る前記第１の吸引ファン（６）への空気流を生成するために、前記吸引ボックス（４）に接続された第１の吸引ファン（６）と、
該第１の吸引ファン（６）によって前記フィルタ（９）に供給された空気から微粉を除去するために、該第１の吸引ファン（６）と接続されたフィルタ（９）と、
該フィルタ（９）から該フィルタリングされた空気を除去するための、該フィルタ（９）と接続された第２の吸引ファン（７）と、
を備える、請求項４１に記載のプラント。
【請求項４３】
前記フィルタ（９）によって前記空気流から除去される微粉を収集するためのコレクタデバイス（１０）を備える、請求項４２に記載のプラント。
【請求項４４】
前記ウエブをカレンダ仕上げするためのカレンダ（４４）を備える、請求項２２〜４３のいずれか１つに記載のプラント。
【請求項４５】
前記ウエブを巻き付けるためのリール（２９）を備える、請求項２２〜４４のいずれか１つに記載のプラント。
【請求項４６】
請求項１〜２１のいずれか１つに記載の方法を用いて、繊維を水流絡合して凝集ウエブにすることによって取得される構造を有するエアレイドセルロース繊維を含む、ウエブ。
【請求項４７】
前記ウエブの重量は、２０〜８０ｇ／ｍ２であることを特長とする、請求項１〜２１のいずれか１つに記載の方法を用いて製作される、請求項４６に記載のウエブ。
【請求項４８】
前記ウエブの重量は、８０〜２０００ｇ／ｍ２であることを特徴とする、請求項１〜２１のいずれか１つに記載の方法を用いて製作される、請求項４６に記載のウエブ。
【請求項４９】
前記ウエブは、わずかな微粉を有するか、または微粉を有さないことを特徴とする、請求項１〜２１のいずれか１つに記載の方法を用いて製作される、請求項４６、４７または４８に記載のウエブ。
【請求項５０】
前記ウエブは、該ウエブ上の塵を結合するために、該ウエブ上に蒸気を噴出することによって取得される構造を有することを特徴とする、請求項１〜２１のいずれか１つに記載の方法を用いて製作される、請求項４６〜４９のいずれか１つに記載のウエブ。
【請求項５１】
前記ウエブの少なくとも１つの面上にプラスチックのホットメルト層と、
該溶融プラスチック上に付与される少なくとも１つの不織ウエブと
を含むことを特徴とする、請求項１〜２１のいずれか１つに記載の方法を用いて製作される、請求項４６〜５０のいずれか１つに記載のウエブ。
【請求項５２】
前記ウエブは、メルトブロー繊維（ＳＭＭＳ）または複合繊維および／またはこれらの組み合わせの少なくとも１つの層を、該ウエブの少なくとも１つの面に含むことを特徴とする、請求項１〜２１のいずれか１つに記載の方法を用いて製作される、請求項４６〜５０のいずれか１つに記載のウエブ。
【請求項５３】
前記ウエブは、前記ウエブの少なくとも１つの面に少なくとも１つのカードウエブを含むことを特徴とする、請求項１〜２１のいずれか１つに記載の方法を用いて製作される、請求項４６〜５０のいずれか１つに記載のウエブ。
【請求項５４】
前記ウエブは、
該ウエブの少なくとも１つの面に少なくとも１つのカードウエブと、
該ウエブの少なくとも１つの面に、例えば、プラスチックのフィルムと
を含むことを特徴とする、請求項１〜２１のいずれか１つに記載の方法を用いて製作される、請求項４６〜５０のいずれか１つに記載のウエブ。
【請求項５５】
前記ウエブは、前記エアレイドウエブの少なくとも１つの面にバインダを含むことを特徴とする、請求項１〜２１のいずれか１つに記載の方法を用いて製作される、請求項４６〜５０のいずれか１つに記載のウエブ。
【請求項５６】
前記ウエブはカレンダ仕上げされることを特徴とする、請求項１〜２１のいずれか１つに記載の方法を用いて製作される、請求項４６〜５５のいずれか１つに記載のウエブ。